【手続補正書】
【提出日】平成21年3月31日(2009.3.31)
【手続補正１】
【補正対象書類名】特許請求の範囲
【補正対象項目名】全文
【補正方法】変更
【補正の内容】
【特許請求の範囲】
【請求項１】
水平斜位検査において被検者の被眼の斜位量を求めた後、シェアードの基準確認検査を実施するための操作方法を表示して、
この操作方法に基づいて外斜位がある場合には輻輳検査を、内斜位がある場合に開散検査を実施するように誘導して、
測定された被検者の斜位量から必要な輻輳余力または開散余力を算出し、該算出された輻輳余力または開散余力の値を元に、測定上限値を設定し、それ以上の値の測定を行わないようにコントロール、または通知し、
前記被検眼の斜位量と、前記輻輳検査で測定された輻輳余力または前記開散検査で測定された開散余力とから処方に適切なプリズム量を算出する機能を有することを特徴とする検眼プログラム。
【請求項２】
測定された輻輳余力、または開散余力から、被検者に必要なプリズム処方値を算出し、検者に呈示する機能、または自動でプリズム処方値を入力する機能を有すること特徴とする請求項１に記載の検眼プログラム。
【請求項３】
請求項１または２に記載の検眼プログラムを有することを特徴とする記録媒体。
【請求項４】
請求項１または２に記載の検眼プログラムを有することを特徴とする自覚式検眼装置。
【手続補正２】
【補正対象書類名】明細書
【補正対象項目名】全文
【補正方法】変更
【補正の内容】
【発明の詳細な説明】
【発明の名称】検眼プログラム，これを有する記録媒体及び自覚式検眼装置
【技術分野】
【０００１】
この発明は、検眼プログラム，これを有する記録媒体及び自覚式検眼装置に関するものである。
【背景技術】
【０００２】
一般に、自覚式検眼装置は、互いに間隔を調整可能な左右一対の検眼ユニットが設けられた検眼装置本体と、この検眼ユニットの検眼窓を介して視認する指標呈示装置を有するものが知られている（例えば、特許文献１参照）。
【０００３】
このような自覚式検眼装置においては、検眼窓に選択的に配設する多数の検査レンズや変更フィルタ等その他の光学素子を検眼ユニット内に設けている。この光学素子の一つとして、斜視、または斜位のプリズム矯正検査を行うためのロータリプリズム等がある。
【０００４】
この斜視、または斜位のプリズム矯正をするためには、一般的には先ず被検者の斜位量を測定する。次に、被検者の融像力を求め、融像力が被検者の持つ斜位量を十分補えないことが判明した場合に、プリズム矯正を行う。
【０００５】
ここで、融像力が被検者の持つ斜位量を十分補えるかどうかを確認する基準として、シェアードの基準とパーシバルの基準が広く知られている。
【０００６】
このうちパーシバルの基準は、被検者の眼位ずれの方向が内方か外方かに関わらず、輻輳力と開散力の両方を求める必要がある。これらの検査は、被検者にとって非常に負担のかかる検査であり、かつ時間を要するため実際には敬遠されがちである。
【０００７】
一方、シェアードの基準は、被検者の眼位ずれの方向が内方であれば開散余力を、外方であれば輻輳余力を測定するだけで良く、パーシバルに比べ被検者の検査に対する負担も検査時間も軽減される。
【特許文献１】特開２００２−１４３０９２号公報
【発明の開示】
【発明が解決しようとする課題】
【０００８】
しかしながら、被検者の斜位量と、輻輳または開散量と、シェアードの基準値の関係が必ずしも検者が知っているとも限らず、実際にはこれらの検査は一切せずに不適切な値が処方されてしまうケースも存在する。
【０００９】
さらに、既存のシステム検眼器では、シェアードやパーシバルの基準を確認するための輻輳・開散テストを実行することは可能であるが、その値から処方に適切なプリズム量を算出する機能は存在しなかった。
【００１０】
そこで、この発明は、被検者の斜位量と輻輳量または開散量とから処方に適切なプリズム量を算出することが可能な検眼プログラム，これを有する記録媒体及び自覚式検眼装置を提供することを目的とするものである。
【課題を解決するための手段】
【００１１】
この目的を達成するため、この発明の検眼プログラム，これを有する記録媒体及び自覚式検眼装置は、
水平斜位検査において被検者の被検眼の斜位量を求めた後に、シェアードの基準確認検査を実施するための操作方法を表示して、この操作方法に基づいて外斜位がある場合には輻輳検査を、内斜位がある場合に開散検査を実施するように誘導して、測定された被検者の斜位量から必要な輻輳余力または開散余力を算出し、該算出された輻輳余力または開散余力の値を元に、測定上限値を設定し、それ以上の値の測定を行わないようにコントロール、または通知し、前記被検眼の斜位量と、前記輻輳検査で測定された輻輳余力または前記開散検査で測定された開散余力とから処方に適切なプリズム量を算出する機能を有することを特徴とする。
【発明の効果】
【００１２】
この構成によれば、操作手段により被検者の被検眼の斜位量を求めると共に前記被検眼の輻輳・開散の検査を実施するように誘導して、被検眼の斜位量と輻輳または開散量とから処方に適切なプリズム量を算出することができるので、被検者の被検眼の斜位量と輻輳または開散量とから処方に適切なプリズム量を算出することができる。
【発明を実施するための最良の形態】
【００１３】
以下、この発明の実施の形態を図面に基づいて説明する。
[構成]
図１において、１は自覚式検眼装置を示す。この自覚式検眼装置１は、検眼テーブル２と、検眼テーブル２のコーナ部に上下方向に伸縮可能に設けられた支柱３と、支柱３に水平回動可能に取り付けられた支持アーム４を有する。
【００１４】
また、自覚式検眼装置１は、検眼テーブル２と間隔をおいて配設された視標提示装置５と、支持アーム４に支持されたフォロプタ６と、検眼テーブル２上に載置されたコントローラ７を備えている。
【００１５】
この指標呈示装置５は、図示しない多数の検眼チャートと、この多数の検眼チャートを駆動するパルスモータ等の駆動モータ（駆動手段）と、この駆動モータを駆動制御して多数の検眼チャートの一つを選択的に提示させる駆動制御部を有する。そして、指標呈示装置５は装置本体５ａの正面に表示窓５ｂを有し、この表示窓５ｂには選択されたチャート５ｃが提示される。このような指標呈示装置５には、特開２００２−１４３０９２号公報に開示されたような従来周知の構成を採用できるので、その詳細な説明は省略する。尚、多数の検眼チャートは、液晶表示器等の表示装置（表示手段）に選択的に画像表示させるようにすることもできる。
【００１６】
また、フォロプタ６は左右対称の検眼ユニット６Ｌ，６Ｒを備えており、各検眼ユニット６Ｌ，６Ｒは検眼窓６Ｌｗ，６Ｒｗを備えている。しかも、検眼ユニット６Ｌは、屈折力（屈折条件）の異なる多数（複数）の検査レンズと、この多数の検査レンズを駆動するパルスモータ等の図示しない駆動モータ（駆動手段）と、この駆動モータを駆動制御して多数の検査レンズや偏光板，遮光板等の光学素子の一つを検眼窓６Ｌｗにセット（配設）させる駆動制御部（図示せず）とを有する。
【００１７】
尚、検眼ユニット６Ｒも検眼ユニット６Ｌと同様な構成を有する。また、このような検眼ユニット６Ｌ，６Ｒを有するフォロプタ６には、特開２００２−１４３０９２号公報に開示されたような従来周知の構成を採用できるので、その詳細な説明は省略する。
【００１８】
そして、被検者Ｐａは、検眼窓６Ｌｗ，６Ｒｗを介して指標呈示装置５のチャート５ｃを視認することができる。また、検者Ｐｂは、コントローラ７を用いて指標呈示装置５及びフォロプタ６を操作する。
【００１９】
このコントローラ７は、各種検査の設定操作を行う操作盤８と、屈折力データを表示させるモニター用の液晶表示器（表示手段）９と、液晶表示器９に表示されるデータの変更操作や表示切り替え操作等に用いるマウス１０を備えている。
【００２０】
この操作盤８内には図２に示す制御部（制御手段）１１が設けられ、操作盤８の上面には操作部８ａ（詳細図示略）が設けられている。制御部１１は、ＣＰＵ（演算制御手段）１２と、ＣＰＵ１２に接続されたメモリ１３（記録手段としての記憶手段）を有する。このメモリ１３はＲＯＭ１３ａとＲＡＭ１３ｂを有する。そして、ＲＯＭ１３ａには、「スタートデータを複数の参照ウインドウのいずれに表示するかを設定する表示ウインドウ設定手段（プログラムの一部）」及び「被検者の斜位量と輻輳または開散量とから処方に適切なプリズム量を算出するプリズム量算出手段（プログラムの一部）」を有する検眼プログラム（検査プログラム）が記憶されている。
【００２１】
尚、本実施例では、自覚の検査時に他覚データが消してはならないデータとして設定されていると共に、他覚データをスタートデータとして用いるように設定されている。
【００２２】
ＣＰＵ１２は、視標提示装置５の駆動制御部（図示せず）に接続されていると共に、フォロプタ６の駆動制御部（図示せず）に接続されている。また、ＣＰＵ１２には、液晶表示器９及びマウス１０が接続されている。
【００２３】
また、制御部１１にはデータ入力部１１ａ，１１ｂが設けられ、データ入力部１１ａには他覚式検眼装置であるオートレフラクトメータＲＭからの他覚屈折力データが入力され、データ入力部１１ｂにはレンズメータＣＬからのレンズ屈折度数のデータが入力されるようになっている。
【００２４】
そして、ＣＰＵ１２は、図３に示したように、液晶表示器９の左右方向中央部の上部にメインウインドウＭｗ（メイン屈折力データウインドウ）をメインデータ表示ウインドウとして表示させると共に、メインウインドウＭｗの両側に位置させて参照ウインドウ１，２として参照ウインドウＳｗ１，Ｓｗ２（参照屈折力データウインドウ）を参照データ表示ウインドウとして表示させるようになっている。
【００２５】
このメインウインドウＭｗの屈折力データは、液晶表示器９のデータ切替ボタンＤｓｂ「Ｄａｔａ  ｓｅｔ」にマウス１０のカーソル１０ａを移動させて、マウス１０の図示しない左ボタンをクリックすることで参照ウインドウＳｗ１，Ｓｗ２のいずれかの屈折力データと自動的に入れ替えられるように設定できる。本実施例においては、メインウインドウＭｗの屈折力データが参照ウインドウＳｗ１の屈折力データと自動的に入れ替えられるように設定されている。
【００２６】
このＣＰＵ１２は、メインデータを中央のメインウインドウＭｗ内にメインデータを表示させ、参照ウインドウＳｗ１（即ち参照ウインドウ１）に参照データ１を表示させ、参照ウインドウＳｗ２（即ち参照ウインドウ２）に参照データ２を表示させるように設定されている。
【００２７】
この実施例において、参照ウインドウＳｗ１にはレンズメータ等で測定されたメガネのレンズ屈折力データ（ＣＬ  Ｄａｔａ）を参照データ（外部屈折力データ）１として表示させ、参照ウインドウＳｗ２にはオートレフラクトメータ等で測定された他覚検眼データ（ＲＭ  Ｄａｔａ）を参照データ（外部屈折力データ）２として表示させるようになっている。
【００２８】
また、ＣＰＵ１２は、メインウインドウＭｗ内に表示されたメインデータに基づき、各検眼ユニット６Ｒ，６Ｌの駆動制御部（図示せず）を駆動制御して、各検眼ユニット６Ｒ，６Ｌの検眼窓６Ｒｗ，６Ｌｗに検査レンズを配設（セット）するようになっている。これにより、検眼窓６Ｒｗ，６Ｌｗに配設される検査レンズの度数は、メインデータで設定された度数になる。このメインデータは、操作盤８の操作で変更できるようになっている。この構成には周知の構成が採用できるので、その詳細な説明は省略する。
【００２９】
尚、メインウインドウＭｗの左右方向中央には屈折力データのＳ（球面度数），Ｃ（円柱度数），Ａ（円柱軸角度），ＡＤＤ（加入度数）が表示され、メインウインドウＭｗのＳ，Ｃ，Ａ，ＡＤＤ等の左右には検眼ユニット６Ｒ，６Ｌの検眼窓６Ｒｗ，６Ｌｗにセットする検査レンズ（図示せず）の屈折力データＲＤ１，ＬＤ１がそれぞれ参照データ１として表示されている。
【００３０】
また、参照ウインドウＳｗ１の左右方向中央には屈折力データのＳ（球面度数），Ｃ（円柱度数），Ａ（円柱軸角度），ＡＤＤ（加入度数），ＶＡ（視力値）が表示され、参照ウインドウＳｗ１のＳ，Ｃ，Ａ，ＡＤＤ，ＶＡ等の左右には被検者が装用していたメガネの右側のレンズ度数であるレンズ屈折力データＲＭＤ[参照データ１（右）]，左側のレンズ度数であるレンズ屈折力データＬＭＤ[参照データ１（左）]がそれぞれ表示されている。
【００３１】
更に、参照ウインドウＳｗ２の左右方向中央には屈折力データのＳ（球面度数），Ｃ（円柱度数），Ａ（円柱軸角度），ＡＤＤ（加入度数），ＶＡ（視力値）が表示され、参照ウインドウＳｗ２のＳ，Ｃ，Ａ，ＡＤＤ，ＶＡ等の左右には被検者の右他覚屈折力データＲＡＤ[参照データ２（右）]，左他覚屈折力データＬＡＤ[参照データ２（左）]がそれぞれ表示されている。
【００３２】
ところで、ＣＰＵ１２は、図３に示したように、液晶表示器９に自覚による遠用の検眼時にデータ表示のウインドウＭｗ，Ｓｗ１，Ｓｗ２等を表示させると共に、操作盤８の図示しないダイヤルの回転操作方向を示すナビ画像Ｄｎｇ（ダイヤルナビ）を参照ウインドウＳｗ１の下方に表示させるようになっている。
【００３３】
この図３においてナビ画像Ｄｎｇは、操作盤８の図示しないダイヤルに対応するダイアル像ＤＬと、ダイヤル（図示せず）の回転方向を示す矢印Ａ１，Ａ２と、矢印Ａ１の左に表示された（＋）、矢印Ａ１の右に表示された（−）を有する。
【００３４】
尚、矢印（＋），（−）は、検眼窓６Ｌｗ，６Ｒｗに配設する検査レンズの屈折度数の増減方向を示している。この表示に基づいて、操作盤８の図示しないダイヤルを表示されたダイヤル像ＤＬの矢印Ａ１，Ａ２に従って回すことで、メインウインドウＭｗに表示中のＳ，Ｃ等のデータの増減をすることができる。
【００３５】
また、検査する内容によっては、実行する検査と使用するチャートの組み合わせで、被検者がどのように見えるのか、またどういう見え方をしたら、どの方向にダイアルを回せばよいのかを関連付けて表示させるようになっている。
【００３６】
例えば、ＣＰＵ１２により液晶表示器９の左下にチャート表示部Ｃｈを表示させておく。そして、チャート表示部Ｃｈの斜位テスト用の十字チャートボタンＣｈａをマウス１０のカーソル１０ａで選択して、マウス１０の図示しない左ボタンをクリックすると、ＣＰＵ１２は指標呈示装置５の表示窓５ｂに図４に示した斜位テストのための十字チャートボタンＣｈａ１を表示させるようになっている。この際、ＣＰＵ１２は、図５に示したナビ画像Ｄｎｇ′をＣＰＵ１２により液晶表示器９にナビ画像Ｄｎｇに変えて表示させるようにする。
【００３７】
尚、図４のチャート内の縦のラインＶＬと横のラインＨＬで直行する偏光フィルムが張られており、被検者Ｐａは例えば右眼で縦のラインと平行の偏光板（図示せず）を、左眼で横のラインと平行の偏光板（図示せず）を通してこのチャートを見るようにする。この条件は、ＣＰＵ１２により検眼ユニット６Ｌ，６Ｒの検眼窓６Ｌｗ，６Ｒｗに図示しない縦のラインと平行の偏光板（図示せず）及び横のラインと平行の偏光板（図示せず）を配設することで、右眼には縦のライン、左眼には横のラインのみが見えるようにする。
【００３８】
この被検者Ｐａの水平斜位をこのチャートで測定すると、もし内斜位傾向があるとすれば、縦線は右方向へ、横線は左方向へずれて見えることとなり、逆にもし外斜位傾向があるとすれば、縦線は左方向へ、横線は右方向へずれて見えることとなる。
【００３９】
また、ナビ画像Ｄｎｇ′は、操作盤８の図示しないダイヤルに対応するダイアル像ＤＬと、ダイヤル（図示せず）の回転方向を示す矢印Ａ１，Ａ２と、矢印Ａ１の左に表示されたズレ確認用の左チャート像ＣｈＬ、矢印Ａ１の右に表示されたズレ確認用の右チャート像ＣｈＲを有する。
【００４０】
また、ＣＰＵ１２は、このような斜位テストの水平斜位テスト（水平斜位検査）が終了すると、シェアードの基準を確認するためのボタンＳＢを液晶表示器９に表示させるようになっている。このボタンＳＢをマウス１０のカーソル１０ａで選択して、マウス１０の図示しない左ボタンをクリックすると、ＣＰＵ１２は図８に示したようなナビ画像Ｄｎｇ′′を表示させるようになっている。このナビ画像Ｄｎｇ′′は、操作盤８の図示しないダイヤルに対応するダイアル像ＤＬと、ダイヤル（図示せず）の回転方向を示す矢印Ａ１，Ａ２と、シェアードの基準を確認するためのプリズム量を「８Δまで加える」という確認の表示Ｃｈｐを有する。
[作用]
次に、このような構成の自覚式検眼装置の作用を説明する。
【００４１】
装置の起動時にＣＰＵ１２は、ＲＯＭ１３ａに記憶させておいた検眼プログラムを読み込んでＲＡＭ１３ｂの所定記憶部に構築させ、図３に示したように検眼プログラムによる液晶表示器９への検眼のための表示を実行する。
【００４２】
この制御部１１のＲＡＭ１３ｂには、データ入力部１１ａを介して他覚式検眼装置であるオートレフラクトメータＲＭからの他覚屈折力データが入力されていると共に、データ入力部１１ｂを介してレンズメータＣＬからのレンズ屈折度数のデータが入力されている。そして、図３に示したように、レンズ屈折力（レンズ屈折度数）データは参照ウインドウＳｗ１に表示され、他覚データ（他覚屈折力データ）は参照ウインドウＳｗ２に表示されている。
【００４３】
本実施例では、自覚の検査時に他覚データが消してはならないデータとして設定されていると共に、他覚データをスタートデータとして用いるように設定されている。
【００４４】
従って、制御部１１のＣＰＵ１２は、自覚の検査開始時にはメインデータウインドウに参照ウインドウＳｗ２の他覚データを自動的に取り込んで表示させると共に、この他覚データに基づいてフォロプタ６の各検眼ユニット６Ｒ，６Ｌの駆動制御部（図示せず）を駆動制御して、各検眼ユニット６Ｒ，６Ｌの検眼窓６Ｒｗ，６Ｌｗに検査レンズを配設（セット）する。これにより、検眼窓６Ｒｗ，６Ｌｗに配設される検査レンズの度数は、メインデータで設定された度数になる。
【００４５】
この他覚データで設定された検眼ユニット６Ｒ，６Ｌを用いて自覚の検査（特開２００２−１４３０９２号公報におけるような周知の方法）を実行し、図３のメインデータウインドウＭｗに表示に示したような自覚の屈折力データＳ，Ｃ，Ａ，ＡＤＤ等のデータを求める。
【００４６】
そして、液晶表示器９のデータ切替ボタンＤｓｂ「Ｄａｔａ  ｓｅｔ」にマウス１０のカーソル１０ａを移動させて、マウス１０の図示しない左ボタンをクリックすることで、メインウインドウＭｗの屈折力データはデータ退避の為に設定された参照ウインドウＳｗ１の屈折力データと自動的に入れ替えられる。この参照ウインドウＳｗ１に退避された屈折力データは、メガネを作る場合の処方値のデータとして用いることができる。
（斜位テスト）
ところで、斜位テストを行う場合、チャート表示部Ｃｈの十字チャートボタンＣｈａをマウス１０のカーソル１０ａで選択して、マウス１０の図示しない左ボタンをクリックし、ＣＰＵ１２により指標呈示装置５の表示窓５ｂに図４に示した斜位テストのための十字チャートＣｈａ′を表示させる。この際、ＣＰＵ１２は、検眼ユニット６Ｌ，６Ｒの検眼窓６Ｌｗ，６Ｒｗに図示しない縦のラインと平行の偏光板（図示せず）及び横のラインと平行の偏光板（図示せず）を配設して、右眼には縦のライン、左眼には横のラインのみが見えるようにする。一方、ＣＰＵ１２は、十字チャートボタンボタンＣｈａを選択してクリックしたときに、図５に示したナビ画像Ｄｎｇ′を液晶表示器９にナビ画像Ｄｎｇに変えて表示させる。
【００４７】
このようにして被検者Ｐａの水平斜位をこのチャートで測定すると、もし内斜位傾向があるとすれば、図５，図６の右チャート像ＣｈＲのように、被検眼ＥＬ，ＥＲには縦線は右方向へ、横線は左方向へずれて見えることとなる。尚、図９の目標点Ｐ１で示した位置に指標呈示装置５の表示窓５ｂに表示される目標物としての十字チャートＣｈａ′が表示されている場合において、通常で斜位がなければ、図９に示すように被検眼ＥＬ，ＥＲの視線Ｌｓ，Ｒｓが破線で示したように目標点Ｐ１に一致する。しかし、内斜位がある場合には、例えば被検眼ＥＬ，ＥＲの視線Ｌｓ，Ｒｓが破線で示した位置より内側の実線で示したような位置に向いて、目標点Ｐ１に一致しない状態となる。
【００４８】
また、逆にもし外斜位傾向があるとすれば、図５，図６の右チャート像ＣｈＬのように縦線は左方向へ、横線は右方向へずれて見えることとなる。尚、外斜位がある場合には、例えば被検眼ＥＬ，ＥＲの視線Ｌｓ，Ｒｓが破線で示した位置より外側の一点鎖線で示したような位置に向いて、目標点Ｐ１に一致しない状態となる。
【００４９】
この様な斜位テスト（斜位検査）に際しては、図１０に示した内斜位の矯正にはＢＯプリズム（Base-Outプリズム）１４を、外斜位の矯正には図１１に示したＢＩプリズム（Base-Inプリズム）１５を加えれば良い。そして、内斜位の矯正には、図１０に示したようにＢＯプリズム（Base-Outプリズム）１４により被検眼ＥＬ，ＥＲの視線Ｌｓ，Ｒｓが破線で示した位置から実線で示した位置になって、目標点Ｐ１に一致するようにプリズム量を設定するとよい。また、外斜位の矯正には、図１１に示したようなＢＩプリズム（Base-Inプリズム）１５で被検眼ＥＬ，ＥＲの視線Ｌｓ，Ｒｓが破線で示したように目標点Ｐ１に一致するようにプリズム量を設定するとよい。
【００５０】
このプリズム１４，１５等は、検眼窓６Ｌｗ，６Ｒｗに配設され、そのプリズム量を調整可能となっている。そのプリズム量の調整は、操作盤８の図示しないダイヤルをナビ画像Ｄｎｇ′の矢印Ａ１又はＡ２方向と同じ方向に回転させることで、プリズム１４，１５によるプリズム量を段階的又は連続的に変化させることができ、このプリズム量はメインウインドウＭｗに表示される。このプリズム量を変化させる構成には、周知の技術が採用できるので、その詳細な説明は省略する。
【００５１】
従って、検者は、この斜位テストの際に、図５，図６の右チャート像ＣｈＬ，ＣｈＲを見ながら、例えば「縦線の位置は、横線に対してどちら側にありますか？」という質問をすればよいことが分かり、かつ、縦線が右にシフトしている時にはダイアル（図示せず）を右（矢印Ａ２方向）に、左にシフトしている時には、ダイアル（図示せず）を左（矢印Ａ１方向）に回せばよいことを、同時に把握することができる。
【００５２】
また、ダイアル（図示せず）の回転方向をより明確にするために、ダイアル回転時に縦線がどの方向に動くのかを示す矢印ａ１，ａ２を液晶表示器９に表示させても良い。
【００５３】
一方、垂直斜位を測定することもできる。もし右上斜位があるとすると、図７の右チャート像ＣｈＲのように、被検眼ＥＬ，ＥＲには縦線に対して横線が上方向へ、左上斜位があるとすると、縦線に対して横線が下方向へずれて見えることとなる。この場合にも、矢印ａ１，ａ２と同様に横線の移動方向を示す矢印ａ３，ａ４を表示させても良い。
（シェアードの基準値の算出）
このような斜位テストの水平斜位テスト（水平斜位検査）が終了すると、ＣＰＵ１２は図３に示したようにシェアードの基準を確認するためのボタンＳＢを液晶表示器９に表示させる。
【００５４】
このときメインウインドウＭｗに表示されるプリズム量のデータは、液晶表示器９のデータ切替ボタンＤｓｂ「Ｄａｔａ  ｓｅｔ」にマウス１０のカーソル１０ａを移動させて、マウス１０の図示しない左ボタンをクリックすることで、斜位量としてデータ退避の為に設定された参照ウインドウＳｗ１の屈折力データと自動的に入れ替えられる。この参照ウインドウＳｗ１に退避されたプリズム量のデータは、開散力テストやメガネを作る場合の処方値のデータとして用いることができる。
【００５５】
検者がボタンＳＢをマウス１０のカーソル１０ａで選択して、マウス１０の図示しない左ボタンをクリックすると、ＣＰＵ１２は内斜位の場合に図８に示したようなナビ画像Ｄｎｇ′′を表示させる。このナビ画像Ｄｎｇ′′では、シェアードの基準を確認するためのプリズム量を「８Δまで加える」という確認の表示Ｃｈｐが矢印Ａ１の左側に表示されている。これにより検者は、ナビ画像Ｄｎｇ′′から内斜位のための開散テストにはプリズム量が８プリズムになるまで操作盤８の図示しないダイヤルを矢印Ａ１方向に回すことが分かる。
【００５６】
尚、ソフトウェア画面上のボタンＳＢではなく、操作盤８上のボタン（図示せず）をトリガーとしてナビ画像Ｄｎｇ′′を表示させるようにしても良い。例えば、検眼を行う順番を既定したプログラム検眼では、通常コントローラ７の操作盤８上のボタンを使って、次の検査に進むので、水平斜位検査が終わった後に、次の検査に進むボタンを押して、自動でシェアードの基準確認検査を実行するようにしても良い。
【００５７】
そして、シェアードの基準確認検査が実行されると、既に入力された斜位量からシェアードの基準値を算出する公式を用い、「被検者が外斜位の場合には、どれだけの輻輳余力、被検者が内斜位の場合には、どれだけの開散余力があれば、プリズム処方の必要がないか」の基準値を自動算出し、検者に呈示する。
【００５８】
例えば、内斜位の場合において図１２に示したように斜位量がΔ１であったとき開散余力はΔ１の２倍となり、外斜位の場合において図１３に示したように斜位量がΔ２であったとき輻輳余力はΔ２の２倍となるので、シェアードの基準値を、
シェアードの基準値＝斜位量×２……（１）
式から算出する。実際には、このシェアードの基準値は、ＣＰＵ１２が上述した斜位テストで得られた斜位量（プリズム量）から（１）式を用いて算出する。
【００５９】
このシェアードの基準値を算出するためのダイヤル（図示せず）の操作のためのガイダンスの呈示の方法は、例えばダイアルコントローラなどを使って矯正値を変更するソフトウェアの場合には、上述のようにダイアルの回転方向と基準値をナビ画像Ｄｎｇ′′を表示させると良い。
【００６０】
また、ダイヤル（図示せず）の操作のためのガイダンスの呈示の方法は、検眼プログラムによるソフトウェア画面やメッセージボックスなどにヘルプを表示し、例えば、「ベースインプリズムを付加し、8プリズム（８Δ）の開散余力があるかどうかを確認する。」など、文言で示す方法でも良い。
【００６１】
検者は、上記のガイダンスに従い検査を実行する。最適なプリズム矯正値を算出するため、ソフトウェア（検眼プログラム）は輻輳余力、または開散余力の結果を受け取る必要があり、そのためにボタンのような入力手段を用意し、輻輳または開散余力の測定が終了した時点でボタンを押してもらうように、ソフトウェア画面上のヘルプやメッセージボックスなどで検者に通知する。
【００６２】
なお、式（1）で提供されたシェアードの基準値が満たされれば、基本的にはプリズム処方は必要なく、基準確認のための測定を続行する必要はない。
【００６３】
従って、基準値を元に測定上限を設定し、それに到達、または超えた場合には、『これ以上の確認は必要ありません』等のメッセージを表示し、必要以上の確認を事前に防ぐようにプログラムしても良い。
【００６４】
輻輳余力、または開散余力の測定が終了し、結果の入力ボタンが押されたら、その値を元に、被検者に必要なプリズム量を計算する。
【００６５】
もし、入力された値が式1の基準値以上であれば、プリズム処方は必要ない旨を検者に通知する。
【００６６】
一方、入力された値が式（1）の基準値を満たしていなければ、必要なプリズム処方値を計算する。即ち、適正矯正値は、
余力（開散余力または輻輳余力）≧斜位量（内斜位量または外斜位量）×２……（２）
を満たしていれば良い。
【００６７】
この場合の必要なプリズム処方値は、式（２）を変形し次の（３）式のように与えられる。即ち、プリズム処方値は、
プリズム処方値＝（斜位量×２−余力）／３……（３）
式を用いてＣＰＵ１２により算出する。
【００６８】
例えば、8△（８プリズム）の内斜位の被検者の、開散余力が13△（１３プリズム）だった場合、プリズム処方値は式（2）により1△（１プリズム）と計算され、内斜位の矯正なので1△BO（プリズム１４で１プリズム外側に矯正する）と求めることができる。
【００６９】
ＣＰＵ１２により計算された処方値の通知方法は、直接プリズム矯正値のデータ入力エリアにインプット、画面表示、音声通知などの組み合わせで行う。または、プリズム矯正値とは別に、シェアードの基準を満たすプリズム矯正量を示すエリアを設け、そこに表示させても良い。尚、このような検眼プログラムは、磁気ディスクや光磁気ディスク、或いはフラッシュメモリ、その他のメモリ等の記録媒体に記録して提供できる。
【００７０】
以上説明したように、この発明の実施の形態の検眼プログラムは、水平斜位検査において被検者の被検眼の斜位量を求めた後に、シェアードの基準確認検査を実施するための操作方法（ナビ画像Ｄｎｇ′′）を表示して、この操作方法に基づいて前記被検眼の輻輳・開散の検査を実施するように誘導して、被験眼の斜位量と輻輳量または開散量とから処方に適切なプリズム量を算出する機能を有する。
【００７１】
この検眼プログラムによれば、斜位検査の後、シームレスにシェアードの基準確認検査を、誘導方式で実行する機能を提供するので、検者は必ずしもシェアードの基準に付いて精通している必要は無い。さらに、被検者の輻輳力、または開散力が基準値を満たしていない場合には、シェアードの基準値を元にした、適切なプリズム処方値を算出する機能を提供することにより、最適なプリズム処方を行えるようになる。
【００７２】
また、この発明の実施の形態の検眼プログラムは、シェアードの基準検査が実行されとき、測定された被検者の斜位量から必要な輻輳余力、または開散余力を算出し、検者にその値を呈示すると供に、どのように検査を進めるかをガイドする機能を有する。
【００７３】
この構成によれば、ガイド（ガイダンス）に従って輻輳余力、または開散余力のテストを容易且つ確実に実行できる。
【００７４】
また、この発明の実施の形態の検眼プログラムは、算出された輻輳余力、または開散余力の値を元に、測定上限値を設定し、それ以上の値の測定を行わないようにコントロール、または通知する機能を有する。
【００７５】
この構成によれば、必要最小限の測定を実行するのみで、最適なプリズム処方を行えるようになる。
【００７６】
また、この発明の実施の形態の検眼プログラムは、測定された輻輳余力、または開散余力から、被検者に必要なプリズム処方値を算出し、検者に呈示する機能、または自動でプリズム処方値を入力する機能を有する。この構成によれば、最適なプリズム処方を簡易且つ迅速に行えるようになる。
【００７７】
また、この発明の実施の形態の記録媒体は上述した検眼プログラムを有する。また、この発明の実施の形態の自覚式検眼装置は、上述した検眼プログラムを有する。このような記録媒体又は自覚式検眼装置は、上述した検眼プログラムの効果を奏する。
【図面の簡単な説明】
【００７８】
【図１】この発明にかかる検眼プログラムを備える自覚式検眼装置の概略斜視図である。
【図２】図１の自覚式検眼装置の制御回路図である。
【図３】図１の液晶表示器に表示されるデータ表示画像の一例を示す説明図である。
【図４】図１の指標呈示装置に表示される十字チャートの説明図である。
【図５】斜位テスト時に液晶表示器に表示されるナビ画像の説明図である。
【図６】斜位テスト時に液晶表示器に表示されるナビ画像の他の例を示す説明図である。
【図７】斜位テスト時に液晶表示器に表示されるナビ画像の他の例を示す説明図である。
【図８】輻輳余力、開散余力のテスト時に液晶表示器に表示されるナビ画像の例を示す説明図である。
【図９】内斜位及び外斜位を説明する概略説明図である。
【図１０】内斜位の矯正を説明する概略説明図である。
【図１１】外斜位の矯正を説明する概略説明図である。
【図１２】開散余力の説明図である。
【図１３】輻輳余力の説明図である。
【符号の説明】
【００７９】
１…自覚式検眼装置
５…視標提示装置
６…フォロプタ
６Ｌ，６Ｒ…検眼ユニット
６Ｌｗ，６Ｒｗ…検眼窓
７…コントローラ
８…操作盤
９…液晶表示器（表示手段）
１０…マウス
１０ａ…カーソル
１１…制御部（制御手段）
１２…ＣＰＵ（演算制御手段）
１３…メモリ
１３ａ…ＲＯＭ
Ｍｗ…メインウインドウ
Ｄｎｇ…ナビ画像
Ｄｎｇ′…ナビ画像
Ｄｎｇ′′…ナビ画像
Ｃｈａ′…十字チャート